(57)【要約】      （修正有）【課題】ループ伝送路の断線位置が検出でき、断線復旧を自動的に可能とする火災報知設備を提供する。【解決手段】受信機１０からのループ伝送路１２に火災感知器１６及び短絡切離し装置１８が接続され火災を監視する。受信機の伝送部２６はループ伝送路の正常時は始端側からの端末制御信号の送信により端末応答信号を受信して火災を監視する。ループ伝送路の終端電圧が断たれて断線を検出すると終端スイッチをオンし、伝送周期毎にループ伝送路の始端側から端末制御信号を送信して端末応答信号を受信する始端伝送制御と、終端側からループ伝送路に端末制御信号を送信して端末応答信号を受信する終端伝送制御を交互に切替えて火災を監視する断線時伝送制御を行い、始端伝送制御による応答端末グループと終端伝送制御による応答端末グループの間を断線位置として検出する。【選択図】図１
2020119347.tif 000002
【特許請求の範囲】
【請求項１】
受信機に接続されたループ伝送路に火災感知器及び短絡切離し装置を含む端末を接続して火災を監視する火災報知設備に於いて、
前記受信機に伝送制御部の指示により動作する伝送部が設けられ、
前記伝送部は、
前記ループ伝送路の終端電圧が正常に検出される場合は、前記ループ伝送路の始端からの信号の送受信により火災を監視する正常時伝送制御を行い、
前記ループ伝送路の終端電圧が断たれた場合に、前記ループ伝送路の始端から信号の送受信を行う始端伝送制御と、前記ループ伝送路の終端から信号の送受信を行う終端伝送制御とを切替えて火災を監視する断線時伝送制御を行い、
断線位置の検出を行うことを特徴とする火災報知設備。
【請求項２】
請求項１記載の火災報知設備に於いて、前記伝送部は、前記ループ伝送路の断線を検出した場合に、前記始端伝送制御により送信された信号に対し応答信号が受信された前記端末の始端側端末グループを検出すると共に、前記終端伝送制御により送信された信号に対し応答信号が受信された端末の終端側端末グループを検出し、前記始端側端末グループと前記終端側端末グループとの間を前記ループ伝送路の断線位置として検出して報知させることを特徴とする火災報知設備。
【請求項３】
受信機に接続されたループ伝送路に火災感知器及び短絡切離し装置を含む端末を接続して火災を監視する火災報知設備に於いて、
前記受信機に伝送制御部の指示により動作する伝送部が設けられ、
前記伝送部は、
前記ループ伝送路の終端電圧が正常に検出される場合は、前記ループ伝送路の始端からの信号の送受信により火災を監視する正常時伝送制御を行い、
前記ループ伝送路の終端電圧が断たれた場合に断線を検出して終端スイッチをオンし、前記ループ伝送路の始端と終端からの信号の送受信により火災を監視する断線時伝送制御を行い、
前記断線時伝送制御中に、前記始端と終端の内いずれか一端から所定の基準電圧以上の所定電圧範囲の電圧制御信号を送信し、前記ループ伝送路の他端側電圧を前記所定の基準電圧と比較し、前記他端側電圧が前記基準電圧以上となった場合に、前記ループ伝送路の断線復旧を検出し、前記終端スイッチのオフにより断線時伝送制御を解除して正常時伝送制御に切り替える断線復旧制御を行う、
ことを特徴とする火災報知設備。
【請求項４】
請求項３記載の火災報知設備に於いて、
前記伝送部は、前記断線時伝送制御中に、前記他端側電圧が前記基準電圧を下回った場合に、前記伝送部の他端側を前記ループ伝送路の他端側に接続させることを特徴とする火災報知設備。
【請求項５】
請求項３記載の火災報知設備に於いて、前記伝送部は、
前記伝送制御部から出力された端末制御信号を所定電圧範囲の電圧制御信号に変換して前記ループ伝送路の始端から送信すると共に前記ループ伝送路の始端から受信した所定電流範囲で変化する電流応答信号を端末応答信号に変換して前記伝送制御部に出力し、更に、前記伝送制御部から電圧固定信号が入力した場合に前記ループ伝送路の始端へ送信する前記電圧制御信号を所定電圧に固定する始端伝送部と、
前記伝送制御部から出力された端末制御信号を所定電圧範囲の電圧制御信号に変換して前記ループ伝送路の終端側から送信すると共に前記ループ伝送路の始端側から受信した所定電流範囲で変化する電流応答信号を端末応答信号に変換して前記伝送制御部に出力し、更に、前記伝送制御部から電圧固定信号が入力した場合に前記ループ伝送路の終端側へ送信する前記電圧制御信号を所定電圧に固定する終端伝送部と、
前記終端伝送部と前記ループ伝送路の終端との間に設けられた終端スイッチと、
前記ループ伝送路の終端電圧を所定の基準電圧と比較し、前記終端電圧が前記基準電圧以下又は前記基準電圧を下回った場合に、前記ループ伝送路の断線を検出すると共に前記終端スイッチをオンして前記終端伝送部を前記ループ伝送路の終端に接続させる終端電圧監視部と、
が設けられたことを特徴とする火災報知設備。
【請求項６】
請求項３記載の火災報知設備に於いて、
前記始端伝送部及び前記終端伝送部は、前記前記伝送制御部から電圧固定信号が入力した場合に、前記電圧制御信号を前記所定電圧範囲の下限電圧に固定することを特徴とする火災報知設備。
【請求項７】
請求項３記載の火災報知設備に於いて、
前記終端電圧監視部は、比較器を備え、
前記比較器の一方の入力に前記終端電圧を入力すると共に、前記比較器の他方の入力に前記終端伝送部の伝送出力電圧を基準電圧として入力し、
前記終端電圧が前記基準電圧以下となった場合の前記比較器の出力により前記ループ伝送路の断線を検出すると共に前記終端スイッチをオンして前記終端側伝送部を前記ループ伝送路の終端に接続することを特徴とする火災報知設備。
【請求項８】
請求項１記載の火災報知設備に於いて、
前記受信機に対しネットワーク回線を介して１又は複数の中継盤が接続され、前記中継盤に接続されたループ伝送路に火災感知器及びＳＣＩ装置（ショートサーキットアイソレータ）を含む端末を接続して火災を監視し、前記中継盤で火災を検出した場合に前記受信機に通知して火災警報を出力させる分散システムが構成されており、
前記中継盤に伝送制御部の指示により動作する伝送部が設けられ、
前記中継盤の前記伝送部は、
前記ループ伝送路の終端電圧が正常に検出される場合は、前記ループ伝送路の始端からの信号の送受信により火災を監視する正常時伝送制御を行い、
前記ループ伝送路の終端電圧が断たれた場合に断線を検出して終端スイッチをオンし、所定の伝送周期毎に、前記ループ伝送路の始端から信号の送受信を行う始端伝送制御と、前記終端スイッチを介して前記ループ伝送路の終端から信号の送受信を行う終端伝送制御とを交互に切替えて火災を監視する断線時伝送制御を行い、
断線時伝送制御における始端伝送制御中に、ループ回線の終端電圧が正常に検出された場合は、前記終端スイッチのオフにより断線時伝送制御を解除して正常時伝送制御に切り替える断線復旧制御を行う、
ことを特徴とする火災報知設備。
【請求項９】
請求項８記載の火災報知設備に於いて、
前記中継盤の前記伝送部は、前記ループ伝送路の断線を検出した場合に、前記始端伝送制御により送信された信号に対し応答信号が受信された前記端末の始端側端末グループを検出すると共に、前記終端伝送制御により送信された信号に対し応答信号が受信された端末の終端側端末グループを検出し、前記始端側端末グループと前記終端側端末グループとの間を前記ループ伝送路の断線位置として検出し、前記受信機に通知して報知させることを特徴とする火災報知設備。
【発明の詳細な説明】
【技術分野】
【０００１】
本発明は、受信機からのループ伝送路に火災感知器及び短絡切離し装置（ショートサーキットアイソレータ）を含む端末を接続して火災を監視する火災報知設備に関する。
【背景技術】
【０００２】
従来、Ｒ型として知られた火災報知設備にあっては、受信機から引き出された伝送路に、伝送機能を備えた火災感知器等の端末装置を接続し、火災検出時には、例えば火災感知器からの火災割込みに基づき、検索コマンドを発行して発報した火災感知器のアドレスを特定し、火災発生アドレスを表示すると共に、特定した火災感知器から火災データを収集して監視するようにしている。
【０００３】
このように、火災を検出した火災感知器のアドレスが分かると、適切な避難誘導や消火活動が可能となり、特に規模の大きな設備の火災監視には不可欠な機能となっている。
【０００４】
また、火災受信機から引き出された伝送路の断線障害に対する信頼性を確保するため、受信機に対しループ状に接続されたループ伝送路に火災感知器を接続して火災を監視する火災報知設備が知られている。
【０００５】
図１０は従来のループ伝送路を用いた火災報知設備の説明図である。図１０に示すように、受信機１０に設けられた伝送部１００からは一対の信号線を用いた伝送路１２が引き出され、伝送路１２は受信機１０から引き出された後に再び受信機１０に戻るループ状に配置されている。以下、説明では、受信機１０にループ状に接続された伝送路１２を、ループ伝送路１２という。
【０００６】
ループ伝送路１２の信号線間には伝送機能を備えた火災感知器１６が接続されており、火災感知器１６には固有の端末アドレスが設定され、伝送部１００から線路電圧を変化させる電圧制御信号（下り信号）を送信し、火災感知器１６からは線路電流を変化させる電流応答信号（上り信号）を送信することで、火災を監視している。
【０００７】
また、ループ伝送路１２の途中には、所定の回線長や回線位置毎に、ショートサーキットアイソレータとして知られた短絡切離し装置１８が接続されている。
【０００８】
受信機１０に引き込まれたループ伝送路１２の終端には、電圧監視部１０４が設けられ、伝送部１００からループ伝送路１２に供給している線路電圧に基づきループ伝送路１２の断線障害を監視している。また、ループ伝送路１２の終端には、終端の信号線を伝送部１００に切替え接続する終端スイッチ１０２が設けられており、通常監視状態で終端スイッチ１０２はオフとなり、ループ伝送路１２の終端は伝送部１００から切り離されている。
【０００９】
運用中にループ伝送路１２の途中で断線１０６が発生したとすると、終端電圧監視部１０４はループ伝送路１２の終端電圧が断たれたことにより断線を検出して終端スイッチ１０２をオンし、ループ伝送路１２の終端に伝送部１００が接続される。
【００１０】
このため伝送部１００からの端末制御信号（電圧制御信号）は、終端スイッチ１０２を介してループ伝送路１２の終端側から断線１０６の発生箇所に向けて伝送され、断線１０６の発生場所とループ伝送路１２の終端の間に接続されている火災感知器１６との間での信号の送受信が可能となり、断線障害が発生しても、ループ伝送路１２に接続された火災感知器１８による火災監視機能が失われることはなく、高い信頼性が得られる。
【００１１】
また、運用中にループ伝送路１２で短絡が発生した場合には、短絡発生場所の両側に位置する短絡切離し装置１８がスイッチ６２をオフして短絡箇所をループ伝送路１２から切り離す。短絡切離し装置１８による短絡箇所の切離しが行われると、断線時と同様にループ伝送路１２の終端電圧が断たれたことにより電圧監視部１０４は断線を検出して終端スイッチ１０２をオンし、伝送部１００からの端末制御信号は、終端スイッチ１０２を介してループ伝送路１２の終端側から断線１０６の発生箇所に向けて伝送され、短絡障害が発生しても、ループ伝送路１２に接続された火災感知器１６による火災監視機能が失われることはなく、高い信頼性が得られる。
【先行技術文献】
【特許文献】
【００１２】
【特許文献１】特開２００８−００４０３３号公報
【特許文献２】特開２０１０−１１４６３２号公報
【発明の概要】
【発明が解決しようとする課題】
【００１３】
しかしながら、このような従来のループ伝送路が設けられた火災報知設備にあっては、ループ伝送路１２に断線が発生した場合、電圧監視部１０４による終端電圧の監視により受信機１０はループ伝送路１２に断線が発生したことは分かるが、ループ伝送路１２の何処で断線が発生したかが分からず、断線箇所の修復に手間と時間がかかる問題がある。
【００１４】
また、断線が修復作業により復旧しても、ループ伝送路１２の終端には断線時と同様に伝送部１００から送信された端末制御信号の信号電圧が印加され、ループ伝送路１２の伝送状態には変化がないため、受信機１０は断線復旧を検出することができない。
【００１５】
そのため、受信機における定期的な復旧スイッチ等の操作により、終端スイッチ１０２をオフし、復旧後に終端電圧が加われば終端スイッチ１０２のオフが維持されることで断線復旧と判断し、終端電圧が加わらなければ終端スイッチ１０２をオンして断線継続中と判断しており、断線復旧の確認に人為的な操作を必要とすることから、手間と時間がかかる問題がある。
【００１６】
本発明は、ループ伝送路に断線が発生した場合に断線位置を確実に検出して報知すると共に断線が修復された場合にループ伝送路の伝送状態を元に戻す断線復旧の自動化を可能とする火災報知設備を提供することを目的とする。
【課題を解決するための手段】
【００１７】
（第１発明火災報知設備：断線位置の検出）
本発明は、受信機に接続されたループ伝送路に火災感知器及び短絡切離し装置（ショートサーキットアイソレータ）を含む端末を接続して火災を監視する火災報知設備に於いて、
受信機に伝送制御部の指示により動作する伝送部が設けられ、
伝送部は、
ループ伝送路の終端電圧が正常に検出される場合は、ループ伝送路の始端からの信号の送受信により火災を監視する正常時伝送制御を行い、
ループ伝送路の終端電圧が断たれた場合に、ループ伝送路の始端から信号の送受信を行う始端伝送制御と、ループ伝送路の終端から信号の送受信を行う終端伝送制御とを交互に切替えて火災を監視する断線時伝送制御を行い、
断線位置の検出を行うことを特徴とする。
【００１８】
（断線位置の検出）
伝送部は、ループ伝送路の断線を検出した場合に、始端伝送制御により送信された信号に対し応答信号が受信された端末の始端側端末グループを検出すると共に、終端伝送制御により送信された信号に対し応答信号が受信された端末の終端側端末グループを検出し、始端側端末グループと終端側端末グループとの間をループ伝送路の断線位置として検出して報知させる。
【００１９】
（第２発明の火災報知設備：断線時と断線復旧時の自動化された伝送制御）
本発明の他の形態にあっては、受信機に接続されたループ伝送路に火災感知器及び短絡切離し装置を含む端末を接続して火災を監視する火災報知設備に於いて、
受信機に伝送制御部の指示により動作する伝送部が設けられ、
伝送部は、
ループ伝送路の終端電圧が正常に検出される場合は、ループ伝送路の始端からの信号の送受信により火災を監視する正常時伝送制御を行い、
ループ伝送路の終端電圧が断たれた場合に断線を検出して終端スイッチをオンし、ループ伝送路の始端と終端からの信号の送受信により火災を監視する断線時伝送制御を行い、
断線時伝送制御中に、始端と終端の内いずれか一端から所定の基準電圧以上の所定電圧範囲の電圧制御信号を送信し、ループ伝送路の他端側電圧を所定の基準電圧と比較し、
他端側電圧が基準電圧以上となった場合に、ループ伝送路の断線復旧を検出し、終端スイッチのオフにより断線時伝送制御を解除して正常時伝送制御に切り替える断線復旧制御を行うことを特徴とする。
【００２０】
（他端側からの伝送）
第２発明の火災報知設備に於いて、
伝送部は、断線時伝送制御中に、
他端側電圧が基準電圧を下回った場合に、伝送部の他端側をループ伝送路の他端側に接続させる。
【００２１】
（伝送部の固定電圧）
始端伝送部及び終端伝送部は、伝送制御部から電圧固定信号が入力した場合に、電圧制御信号を所定電圧範囲の下限電圧に固定する。
【００２２】
（終端電圧監視部の詳細）
終端電圧監視部は、比較器を備え、
比較器の一方の入力に終端電圧を入力すると共に、比較器の他方の入力に終端伝送部の伝送出力電圧を基準電圧として入力し、
終端電圧が基準電圧以下となった場合の比較器の出力によりループ伝送路の断線を検出すると共に終端スイッチをオンして終端側伝送部をループ伝送路の終端に接続させる。
【００２３】
（終端電圧監視部の詳細）
（分散システムの中継盤）
受信機に対しネットワーク回線を介して１又は複数の中継盤が接続され、中継盤に接続されたループ伝送路に火災感知器及び短絡切離し装置を含む端末を接続して火災を監視し、中継盤で火災を検出した場合に受信機に通知して火災警報を出力させる分散システムが構成されており、
中継盤に伝送制御部の指示により動作する伝送部が設けられ、
中継盤の伝送部は、
ループ伝送路の終端電圧が正常に検出される場合は、ループ伝送路の始端からの信号の送受信により火災を監視する正常時伝送制御を行い、
ループ伝送路の終端電圧が断たれた場合に断線を検出して終端スイッチをオンし、所定の伝送周期毎に、ループ伝送路の始端から信号の送受信を行う始端伝送制御と、終端スイッチを介してループ伝送路の終端から信号の送受信を行う終端伝送制御とを交互に切替えて火災を監視する断線時伝送制御を行い、
断線時伝送制御における始端伝送制御中に、ループ回線の終端電圧が正常に検出された場合は、終端スイッチのオフにより断線時伝送制御を解除して正常時伝送制御に切り替える断線復旧制御を行う。
【００２４】
（中継盤による断線位置の検出）
中継盤の伝送部は、ループ伝送路の断線を検出した場合に、始端伝送制御により送信された信号に対し応答信号が受信された端末の始端側端末グループを検出すると共に、終端伝送制御により送信された信号に対し応答信号が受信された端末の終端側端末グループを検出し、始端側端末グループと終端側端末グループとの間をループ伝送路の断線位置として検出し、受信機に通知して報知させる。
【発明の効果】
【００２５】
（第１発明の火災報知設備による効果）
本発明は、受信機に接続されたループ伝送路に火災感知器及び短絡切離し装置（ショートサーキットアイソレータ）を含む端末を接続して火災を監視する火災報知設備に於いて、受信機に伝送制御部の指示により動作する伝送部が設けられ、伝送部は、ループ伝送路の終端電圧が正常に検出される場合は、ループ伝送路の始端からの信号の送受信により火災を監視する正常時伝送制御を行い、ループ伝送路の終端電圧が断たれた場合に、ループ伝送路の始端から信号の送受信を行う始端伝送制御と、ループ伝送路の終端から信号の送受信を行う終端伝送制御とを切替えて火災を監視する断線時伝送制御を行い、断線位置の検出を行うようにしたため、ループ伝送路が断線した場合に例えば所定の伝送周期毎に交互に行われる始端伝送制御と終端伝送制御を利用して信号応答のある始端端末側と終端端末側を検出して断線位置を検出することができ、断線位置が受信機のディスプレイ等の表示により報知されることで、ループ伝送路の断線に対し必要な修復作業を効率良く進めることができる。
【００２６】
（断線位置の検出による効果）
また、伝送部は、ループ伝送路の断線を検出した場合に、始端伝送制御により端末応答信号が受信された端末の始端側端末グループを検出すると共に、終端伝送制御により端末応答信号が受信された端末の終端側端末グループを検出し、始端側端末グループと終端側端末グループとの間をループ伝送路の断線位置として検出して報知させることで、始端端末側グループと終端端末側グループの間となるループ伝送路の断線位置を確実に検出することができる。
【００２７】
（第２発明の火災報知設備による効果）
本発明の他の形態にあっては、受信機に接続されたループ伝送路に火災感知器及び短絡切離し装置を含む端末を接続して火災を監視する火災報知設備に於いて、受信機に伝送制御部の指示により動作する伝送部が設けられ、伝送部は、ループ伝送路の終端電圧が正常に検出される場合は、ループ伝送路の始端からの信号の送受信により火災を監視する正常時伝送制御を行い、ループ伝送路の終端電圧が断たれた場合に断線を検出して終端スイッチをオンし、ループ伝送路の始端と終端からの信号の送受信により火災を監視する断線時伝送制御を行い、断線時伝送制御中に、始端と終端の内いずれか一端から所定の基準電圧以上の所定電圧範囲の電圧制御信号を送信し、ループ伝送路の他端側電圧を所定の基準電圧と比較し、他端側電圧が基準電圧以上となった場合に、ループ伝送路の断線復旧を検出し、終端スイッチのオフにより断線時伝送制御を解除して正常時伝送制御に切り替える断線復旧制御を行うようにしたため、ループ伝送路の断線状態では、オン状態にある終端スイッチの両端の電圧を監視していると、伝送部側の電圧とループ伝送路の他端側の電圧は同じまたは他端側の電圧が低くなっているが、断線が修復により復旧すると、ループ伝送路の他端側の電圧はループ伝送路の一端側から伝送された信号が印加されることで伝送部側の電圧より高い電圧となり、この断線復旧というループ伝送路の状態変化による終端電圧の変化を検出することで、終端スイッチのオフにより断線時伝送制御を解除して正常時伝送制御に切り替えることができ、受信機における人為的な操作を必要とすることなく、断線が修復された場合にループ伝送路の伝送状態を、ループ伝送路の始端と終端に対する双方向伝送から、ループ伝送路の始端に対する単方向伝送に戻す断線復旧を自動的に行うことができる。
【００２８】
（他端側からの伝送）
また、第２発明の火災報知設備に於いて、伝送部は、断線時伝送制御中に、他端側電圧が基準電圧を下回った場合に、伝送部の他端側をループ伝送路の他端側に接続させるようにしたため、他端側電圧が基準電圧以下又は基準電圧を下回っている間は断線中にあることから、伝送部の他端側をループ伝送路の他端側に接続させることで、ループ伝送路の他端側に配置された機器について電源供給を継続することができる。電源断とならないため、感知器による火災の監視と検出データの保持を可能としながら、断線復旧監視が可能となる。
【００２９】
（伝送部の効果）
また、伝送部は、伝送制御部から出力された端末制御信号を所定電圧範囲の電圧制御信号に変換してループ伝送路の始端側から送信すると共にループ伝送路の始端側から受信した所定電流範囲で変化する電流応答信号を端末応答信号に変換して伝送制御部に出力し、更に、伝送制御部から電圧固定信号が入力した場合にループ伝送路の始端側へ送信する電圧制御信号を所定電圧に固定する始端伝送部と、伝送制御部から出力された端末制御信号を所定電圧範囲の電圧制御信号に変換してループ伝送路の終端側から送信すると共にループ伝送路の始端側から受信した所定電流範囲で変化する電流応答信号を端末応答信号に変換して伝送制御部に出力し、更に、伝送制御部から電圧固定信号が入力した場合にループ伝送路の終端側へ送信する電圧制御信号を所定電圧に固定する終端伝送部と、終端伝送部とループ伝送路の終端との間に設けられた終端スイッチと、ループ伝送路の終端電圧を所定の基準電圧と比較し、終端電圧が基準電圧以下又は基準電圧を下回った場合に、ループ伝送路の断線を検出すると共に終端スイッチをオンして終端側伝送部をループ伝送路の終端に接続させる終端電圧監視部とが設けられたため、始端伝送部、終端伝送部、終端スイッチ及び終端電圧監視部の連携により、ループ伝送路に対する正常時伝送制御、始端伝送制御と終端伝送制御を交互に行う断線時伝送制御、及び断線復旧制御を適切に行うことができる。
【００３０】
（伝送部の固定電圧の効果）
また、始端伝送部及び終端伝送部は、伝送制御部から電圧固定信号が入力した場合に、電圧制御信号を所定電圧範囲の下限電圧に固定するようにしたため、伝送制御で送信する電圧制御信号の下限電圧を有効に活用することで、ループ伝送路に対する出力電圧の固定を簡単に行うことができる。
【００３１】
（終端電圧監視部の効果）
また、終端電圧監視部は、比較器を備え、比較器の一方の入力に終端電圧を入力すると共に、比較器の他方の入力に終端伝送部の伝送出力電圧を基準電圧として入力し、終端電圧が基準電圧以下となった場合の比較器の出力によりループ伝送路の断線を検出すると共に終端スイッチをオンして終端側伝送部をループ伝送路の終端に接続させるようにしたため、比較器によるループ伝送路の終端電圧と終端伝送部の出力電圧との比較により、断線検出時や断線復旧時の終端スイッチのオン、オフを簡単且つ適切に行うことができる。
【００３２】
（分散システムの中継盤による効果）
また、受信機に対しネットワーク回線を介して１又は複数の中継盤が接続され、中継盤に接続されたループ伝送路に火災感知器及び短絡切離し装置を含む端末を接続して火災を監視し、中継盤で火災を検出した場合に受信機に通知して火災警報を出力させる分散システムが構成されており、中継盤に伝送制御部の指示により動作する伝送部が設けられ、伝送部は、ループ伝送路の終端電圧が正常に検出される場合は、始端側からの制御信号の送信により端末応答信号を受信して火災を監視する正常時伝送制御を行い、ループ伝送路終端電圧が断たれた場合に断線を検出し、所定の伝送周期毎に、ループ伝送路の始端側から端末制御信号を送信して端末応答信号を受信する始端伝送制御と、終端側からループ伝送路に端末制御信号を送信して端末応答信号を受信する終端伝送制御を交互に切替えて火災を監視する断線時伝送制御を行い、断線時伝送制御中に、ループ回線の終端電圧が正常に検出された場合は、正常時伝送制御に復旧させる断線復旧制御を行うようにしたため、分散システムの中継盤についても、ループ伝送路の断線状態での断線復旧に伴う終端電圧の変化を検出して終端スイッチのオフにより断線時伝送制御を解除して正常時伝送制御に切り替えることで、受信機における人為的な操作を必要とすることなく、自動的に断線復旧を行うことができる。
【００３３】
（中継盤による断線位置の検出による効果）
また、中継盤の伝送部は、ループ伝送路の断線を検出した場合に、始端伝送制御により送信された信号に対し応答信号が受信された端末の始端側端末グループを検出すると共に、終端伝送制御により送信された信号に対し応答信号が受信された端末の終端側端末グループを検出し、始端側端末グループと終端側端末グループとの間をループ伝送路の断線位置として検出し、受信機に通知して報知させるようにしたため、中継盤のループ伝送路が断線した場合にも、交互に行われる始端伝送制御と終端伝送制御を利用して信号応答のある始端端末グループと終端端末グループを検出して断線位置を検出することができ、中継盤のループ伝送路における断線位置が受信機のディスプレイ等の表示により報知されることで、中継盤のループ伝送路の断線に対し必要な修復作業を効率良く進めることができる。
【図面の簡単な説明】
【００３４】
【図１】ループ伝送路により火災監視を行う火災報知設備の概要を示した説明図
【図２】受信機の伝送部とループ伝送に接続された端末の詳細を示したブロック図
【図３】終端電圧監視部の実施形態を示した回路ブロック図
【図４】短絡切離し装置の実施形態を示した回路ブロック図
【図５】ループ伝送路が正常な場合の伝送制御による各部の信号波形を示したタイムチャート
【図６】ループ伝送路に断線が発生した場合の伝送部の動作状態を示したブロック図
【図７】ループ伝送路に断線が発生した場合の伝送制御による各部の信号波形を示したタイムチャート
【図８】ループ伝送路に対する伝送制御を示したフローチャート
【図９】受信機に通信ネットワークを介して中継盤を接続した分散型の火災報知設備の概要を示した説明図
【図１０】ループ伝送路を用いた従来の報知設備を示した説明図
【発明を実施するための形態】
【００３５】
［火災報知設備］
（火災報知設備の概要）
図１はループ伝送路により火災監視を行う火災報知設備の概要を示した説明図である。図１に示すように、火災報知設備が設置された建物の一階の管理人室などには例えばＲ型の受信機１０が設置され、受信機１０から警戒区域に対し一対の信号線１４ａ，１４ｂを用いたループ伝送路１２が例えば２回線引き出されている。
【００３６】
ループ伝送路１２には固有のアドレスが設定された伝送機能を有する複数の火災感知器１６が接続されている。また、火災感知器１６の間のループ伝送路１２には、ループ伝送路１２の短絡を検出して切り離すショートサーキットアイソレータとして知られた短絡切離し装置１８が接続され、短絡切離し装置１８は火災感知器１６と同様に固有のアドレスが設定され、伝送機能を有する。
【００３７】
ここで、ループ伝送路１２に接続される火災感知器１６及び短絡切離し装置１８を含む端末に設定される最大アドレス数は例えば２５５としており、ループ伝送路１２には最大２５４台の火災感知器１６及び短絡切離し装置１８を含む端末が接続できる。
【００３８】
また、図１にあっては、説明を分かり易くするため、火災感知器１６を１２台、短絡切離し装置１８を４台接続とし、火災感知器１６及び短絡切離し装置１８のアドレスをループ伝送路１２の始端側からＡ１，Ａ２・・・Ａ１６としている。
【００３９】
（受信機の概要）
受信機１０には、メインＣＰＵ２０と複数のサブＣＰＵ基板２２−１，２２−２が設けられ、サブＣＰＵ基板２２−１，２２−２にはサブＣＰＵ２４と伝送部２６が設けられている。メインＣＰＵ２０とサブＣＰＵ２４は、シリアル転送バス２５で接続されており、相互にデータを送受信する。
【００４０】
メインＣＰＵ２０には、液晶表示パネル等を用いたタッチパネル付きのディスプレイ２７、火災、ガス漏れ、障害の代表灯、ＬＥＤ表示灯等が設けられた表示部２８、火災監視に必要な各種のスイッチが設けられた操作部３０、スピーカが設けられた音響警報部３２、及び、移報部３４が接続されている。また、メインＣＰＵ２０にはプログラムの実行により実現される機能として火報制御部３８が設けられる。
【００４１】
サブＣＰＵ基板２２−１，２２−２に設けられたサブＣＰＵ２４にはプログラムの実行により実現される機能として伝送制御部３６が設けられる。伝送制御部３６は伝送部２６に指示してループ伝送路１２に対し信号を送受信させる伝送制御を行う。
【００４２】
本実施形態の伝送制御部３６による伝送制御は、ループ伝送路１２が正常な場合は正常時伝送制御を行い、ループ伝送路１２の断線を検出すると断線時伝送制御を行い、更に、ループ伝送路１２の断線が修復して復旧すると断線復旧制御を行う。なお、伝送制御部３６による各種の伝送制御の詳細は後の説明で明らかにされる。
【００４３】
伝送部２６は伝送制御部３６の伝送制御によりサブＣＰＵ２４から出力される０〜５Ｖで変化する端末制御信号を所定電圧範囲、例えば２４Ｖ〜３３Ｖの電圧範囲で変化する電圧制御信号（電圧パルス信号）に変換して下り信号としてループ伝送路１２に出力する。
【００４４】
これに対し火災感知器１６及び短絡切離し装置１８から受信機１０に対する端末応答信号は、ループ伝送路１２に伝送データのビット１のタイミングで信号電流を流し、いわゆる電流パルス列となる電流応答信号が上り信号として受信機１０にされる。このため伝送部２６はループ伝送路１２から受信した電流応答信号を０〜５Ｖの端末応答信号に変換してサブＣＰＵ２４に出力する。
【００４５】
ループ伝送路１２が正常な場合の受信機１０の火報制御部３６による火災監視制御は次のようになる。サブＣＰＵ２４−１の伝送制御部３６は、通常の監視中にあっては、一定周期Ｔ毎に、伝送部２６に指示して、一括ＡＤ変換コマンドを含むブロードキャストの一括ＡＤ変換信号を送信しており、この一括ＡＤ変換信号を受信した火災感知器１６は、検煙部から出力されたアナログ煙濃度信号をＡＤ変換によりデジタル煙濃度信号に変化して検出データとして保持する。続いて、伝送制御部３６は伝送部２６に指示して、端末アドレスを順次指定したポーリングコマンドを含む呼出信号を送信している。
【００４６】
火災感知器１６は自己アドレスに一致するアドレスを持つ呼出信号を受信すると、そのとき保持している煙濃度データを含む応答信号を受信機１０に送信する。
【００４７】
また、火災感知器１６には注意表示閾値として例えば１種感度相当の煙濃度閾値、例えば煙濃度閾値５．０％／ｍが設定されており、検出された煙濃度データが注意表示閾値以上又は注意表示閾値を超えると火災発報と判断し、受信機１０に対し火災割込み信号を送信する。
【００４８】
伝送制御部３６は伝送部２６を介して火災割込み信号を受信すると、グループ検索コマンド信号を送信して火災発報した火災感知器１６を含むグループを特定し、続いて、グループ内検索コマンド信号を送信して火災発報した火災感知器１６のアドレスを特定して煙濃度データを集中的に収集し、シリアル転送バス２５を介してメインＣＰＵ２０に送信する。
【００４９】
メインＣＰＵ２０の火報制御部３８は、サブＣＰＵ２４から受信した火報用の煙濃度データを２種感度相当の所定の火報閾値、例えば火報閾値１０％／ｍと比較しており、煙濃度が火報閾値以上又は火報閾値を超えた場合に火災と判断し、火災警報制御を行う。
【００５０】
火報制御部３８による火災警報制御は、表示部２８の火災代表灯を点灯し、音響警報部３２のスピーカから火災発生を示す所定の主音響警報を出力させ、ディスプレイ２７に火災が検出された感知器アドレスに基づき火災発生場所を含む火災警報情報を表示させ、更に、移報部３４により火災移報信号を外部に出力して所定の移報制御等を行わせる。
【００５１】
［伝送部の構成と伝送制御］
図２は受信機の伝送部の実施形態をループ伝送路に接続された端末と共に示したブロック図である。
【００５２】
（伝送部始端側の構成）
図２に示すように、受信機１０に設けられた始端端子Ｌ１，ＬＣ１からは信号回線１４ａ，１４ｂを用いたループ伝送路１２が引き出され、ループ伝送路１２の終端は受信機１０に設けられた終端端子Ｌ２，Ｌ２に接続されている。
【００５３】
受信機１０の伝送部２６には、始端伝送部４０と終端伝送部４８が設けられる。始端伝送部４０の伝送出力側となるプラス側は通常状態でオンしている始端スイッチ４２及びダイオード４６を介して始端端子Ｌ１に接続される。始端スイッチ４２はＦＥＴ等を用いた半導体スイッチである。
【００５４】
始端スイッチ４２に対しては始端電圧監視部４４が設けられる。始端電圧監視部４４には始端伝送部４０の電圧制御信号ＶＯＵＴ１が入力され、また、ダイオード４６と始端端子Ｌ１の間から取り出した始端電圧ＶＳ１が入力されている。
【００５５】
始端電圧監視部４４は、電圧制御信号ＶＯＵＴ１と始端電圧ＶＳ１を比較し、通常時は始端スイッチ４２をオンしてループ伝送路１２の始端側を始端伝送部４０に接続しており、始端端子Ｌ１，ＬＣ１と最初の短絡切離し装置１８−１との間のループ伝送路１２に短絡が発生すると始端スイッチ４２をオフし、始端伝送部４０をループ伝送路１２から切り離す。
【００５６】
伝送制御部３６が設けられたサブＣＰＵ２４から始端伝送部４０に対しては、ＤＣ０〜５Ｖで変化する端末制御信号Ｅ１が出力され、始端伝送部４０からサブＣＰＵ２４にはＤＣ０〜５Ｖで変化する端末応答信号Ｅ２が出力される。
【００５７】
また、伝送制御部３６が設けられたサブＣＰＵ２４から始端伝送部４０に対しては、電圧固定信号Ｅ３が出力される。電圧固定信号Ｅ３を受けた始端伝送部４０はループ伝送路１２に出力する電圧制御信号ＶＯＵＴ１を所定電圧、例えばＤＣ２４Ｖ〜３３Ｖで変化する電圧制御信号の電圧範囲の下限となるＤＣ２４Ｖに固定する。なお，以下の説明ではＤＣは省略する。
【００５８】
更に、始端電圧監視部４４からはループ伝送路１２の短絡を検出して始端スイッチ４２をオフした場合に短絡検出信号Ｅ４がサブＣＰＵ２４に対し出力される。
【００５９】
（伝送部終端側の構成）
伝送部２６の終端側に設けられた終端伝送部４８の伝送出力側となるプラス側は通常状態でオンしている終端スイッチ５０及びダイオード５４を介して終端端子Ｌ２に接続される。終端スイッチ５０に対しては終端電圧監視部５２が設けられる。終端スイッチ５０もＦＥＴ等を用いた半導体スイッチである。終端電圧監視部５２には終端伝送制御部４８の電圧制御信号ＶＯＵＴ２が入力され、また、ダイオード５４と終端端子Ｌ２の間から取り出した終端電圧ＶＳ２が入力されている。
【００６０】
終端電圧監視部５２は、電圧制御信号ＶＯＵＴ２と終端電圧ＶＳ２を比較し、通常時は終端スイッチ５０をオフしてループ伝送路１２の終端側を終端伝送部４８から切り離しており、ループ伝送路１２に断線が発生すると終端電圧ＶＳ２が０Ｖに低下して断たれることから、これを検出して終端スイッチ５０をオンし、終端伝送部４８をループ伝送路１２の始端に接続する。
【００６１】
伝送制御部３６が設けられたサブＣＰＵ２４から終端伝送部４８に対しては０〜５Ｖで変化する端末制御信号Ｅ１が出力され、終端伝送部４８からサブＣＰＵ２４には０〜５Ｖで変化する端末応答信号Ｅ５が出力される。
【００６２】
また、伝送制御部３６が設けられたサブＣＰＵ２４から終端伝送部４８に対しては電圧固定信号Ｅ６が出力される。電圧固定信号Ｅ６を受けた終端伝送部４８はループ伝送路１２に出力する電圧制御信号ＶＯＵＴ２を、始端伝送部４０と同様に、２４Ｖ〜３３Ｖで変化する電圧制御信号の電圧範囲の下限となる電圧２４Ｖに固定する。
【００６３】
更に、終端端電圧監視部５２からはループ伝送路１２の断線を検出して始端スイッチ４２をオンした場合に断線検出信号Ｅ７がサブＣＰＵ２４に対し出力される。
【００６４】
（終端電圧監視部）
図３は図１の終端電圧監視部の実施形態を示した回路ブロック図である。図３に示すように、終端電圧監視部５２は比較器７０を備え、比較器７０のマイナス入力端子にループ伝送路１２の終端電圧ＶＳ２を抵抗７６，７８で分圧した終端比例電圧ＶＳ２ａが入力され、比較器７０のプラス入力端子に終端伝送部４８の電圧制御信号ＶＯＵＴ２を抵抗７２，７４で分圧した電圧ＶＯＵＴ２ａが入力されている。抵抗７６，７８の分圧比と抵抗７２、７４の分圧比は等しくなるように設定されている。また、整流用ダイオードとして機能するダイオード５４により終端電圧ＶＳ２が終端伝送部４８の電圧制御信号ＶＯＵＴ２により電圧降下しないようになっている。
【００６５】
ここで、通常状態で終端電圧ＶＳ１は２４Ｖ〜３３Ｖの範囲で変化し、電圧制御信号ＶＯＵＴ２は基準電圧ＶＲＥＦ＝２４Ｖに固定され、（ＶＯＵＴ２）≦（ＶＳ２）の関係にあり、これに比例して（ＶＯＵＴ２ａ）≦（ＶＳ２ａ）の関係が得られる。更に、終端スイッチ５０をオンした場合に、（ＶＯＵＴ２ａ）≦（ＶＳ２ａ）が維持できる。
【００６６】
比較器７０は（ＶＯＵＴ２ａ）≦（ＶＳ２ａ）の場合に比較出力をＬレベルとして終端スイッチ５０をオフしており、（ＶＯＵＴ２ａ）＞（ＶＳ２ａ）の場合に比較出力をＨレベルとして終端スイッチ５０をオンし、また、Ｈレベルとなる断線検出信号Ｅ７を出力する。
【００６７】
［短絡切離し装置］
図４はループ伝送路に設けられる短絡切離し装置の実施形態を示した回路ブロック図である。図４に示すように、短絡切離し装置１８は、伝送部５６、制御部５８、電圧検出部６０、スイッチ回路部６２−１，６２−２及びダイオード６４−１〜６４−４で構成され、信号線１４ａ，１４ｂからの電源供給又は専用の電源線からの電源供給を受けて動作する。
【００６８】
電圧検出部６０はループ伝送路１２の終端側となる信号線１４ａ，１４ｂの間の電圧を検出して制御部５８に出力する。ループ伝送路１２の終端側となる信号線１４ａ，１４ｂ間に短絡が発生すると、電圧検出部６０による検出電圧は略０Ｖ付近に低下する。このとき、制御部５８はスイッチ回路部６２−１，６２−２をオフ制御する。また、短絡が復旧すると、電圧検出部６０による検出電圧は正常電圧に復旧する。このとき、制御部５８はスイッチ回路部６２−１，６２−２をオン制御する。
【００６９】
伝送部５６は受信機１０から送信され電圧制御信号を受信すると、電圧制御信号に含まれるコマンドに対応した制御を行い、受信機１０に対し電流応答信号を送信する。受信機１０からの信号の送受信は、通常時は始端側から行われ、断線時には終端側から行われることから、ダイオード６４−１〜６４−４により始端側及び終端側の信号送受信に伝送部５６が対応できるようにしている。
【００７０】
即ち、始端側からの信号送受信はダイオード６４−１，伝送部５６及びダイオード６４−２を通る入出力回路が使用され、終端側からの信号送受信はダイオード６４−３，伝送部５６及びダイオード６４−４を通る入出力回路が使用される。
【００７１】
制御部５８は、伝送部５６を介して受信機１０から一括ＡＤ変換信号に続いて端末アドレスを順次指定した呼出信号を受信しており、自己アドレスを指定した呼出信号を受信すると、正常状態を示す応答信号を受信機１０に送信する制御を行う。
【００７２】
また、制御部５８は、電圧検出部６０からの電圧検出信号による検出電圧が所定の短絡閾値以下に低下したことを判別すると、伝送部５６に指示して割込み信号を受信機１０に送信し、受信機１０は割込み信号を受けたアドレスを検索して呼出信号を送信することから、短絡検出を示すステータ情報を含む電流応答信号を伝送部５６に指示して受信機１０に送信する。
【００７３】
制御部５８は、電圧検出部６０からの電圧検出信号による検出電圧が所定の短絡復旧閾値以上に復旧したことを判別すると、伝送部５６に指示して割込み信号を受信機１０に送信し、受信機１０は割込み信号を受けたアドレスを検索して呼出信号を送信することから、短絡復旧検出を示すステータ情報を含む電流応答信号を伝送部５６に指示して受信機１０に送信する。
【００７４】
なお、短絡切離し装置は検出電圧によるスイッチ回路部６２−１，６２−２のオン、オフ制御を行わず、制御部５８は伝送部５６を介して受信機１０から受信した端末制御信号に基づき、必要に応じてスイッチ回路部６２−１，６２−２のオン、オフ制御を行うものとしても良いし、検出電圧と端末制御信号の両方に基づいてスイッチ回路部６２−１，６２−２のオン、オフ制御を行うものとしても良い。
【００７５】
［伝送制御］
次に図２の伝送制御部３６と伝送部２６によるループ伝送路を使用した伝送制御を正常時と断線時に分けて説明する。また、本実施形態の伝送制御部３６による断線位置の検出機能は、第１発明の火災報知設備に対応し、また、本実施形態の伝送制御部３６による断線時と断線復旧時の伝送制御は第２発明の火災報知設備に対応する。
【００７６】
（正常時伝送制御）
図５はループ伝送路が正常な場合の伝送制御による各部の信号波形を示したタイムチャートであり、図５（Ａ）はサブＣＰＵ２４から出力される端末制御信号Ｅ１（数字１〜１６はアドレスＡ１〜Ａ１６）を示し、図５（Ｂ）は始端伝送部４０に対する電圧固定信号Ｅ３を示し、図５（Ｃ）は始端伝送部４０からループ伝送路１２の始端に出力される電圧制御信号ＶＯＵＴ１を示し、図５（Ｄ）は始端伝送部４０でループ伝送路１２の始端から受信される電流応答信号ＩＩＮ１を示し、図５（Ｅ）は始端スイッチ４２の動作状態を示し、図５（Ｆ）は始端電圧監視部４４に入力する始端電圧ＶＳ１を示し、これが始端側の信号波形となる。
【００７７】
一方、終端側の信号波形として、図５（Ｇ）は終端伝送部４８に対する電圧固定信号Ｅ６を示し、図５（Ｈ）は終端伝送部４８からループ伝送路１２の終端に出力される電圧制御信号ＶＯＵＴ２を示し、図５（Ｉ）は終端伝送部４８でループ伝送路１２の終端から受信される電流応答信号ＩＩＮ２を示し、図５（Ｊ）は終端スイッチ５０の動作状態を示し、図５（Ｋ）は終端電圧監視部５２に入力する終端電圧ＶＳ２を示している。
【００７８】
伝送制御部３６は、ループ伝送路１４に断線のない正常時は、ループ伝送路１２の始端からの信号の送受信により火災を監視する正常時伝送制御を行っている。
【００７９】
伝送制御部３６による正常時伝送制御では、始端伝送部４０及び終端伝送部４８に指示してループ伝送路１２の始端側から信号を送信し、端末からの信号を始端側から受信する始端伝送制御を行う。
【００８０】
始端伝送制御では、始端スイッチ４２はオン、終端スイッチ５０はオフとなっている。伝送制御部３６は、図５（Ｇ）に示すように、終端伝送部４８に対する電圧固定信号Ｅ６をＨレベルとし、終端伝送部４８がサブＣＰＵ２４から出力された０〜５Ｖで変化する端末制御信号Ｅ１を２４Ｖ〜３３Ｖで変化する電圧制御信号ＶＯＵＴ２に変換する動作が禁止され、図５（Ｋ）に示すように、終端伝送部４８から出力される電圧制御信号ＶＯＵＴ２を２４Ｖに固定している。
【００８１】
これ対し伝送制御部３６は、図５（Ｂ）に示すように、始端伝送部４０に対する電圧固定信号Ｅ３をＬレベルとしており、このため始端伝送部４０はサブＣＰＵ２４から入力した端末制御信号Ｅ１を２４Ｖ〜３３Ｖの範囲で変化する電圧制御信号ＶＯＵＴ１に変換し、始端スイッチ４２を介してループ伝送路１２の始端側に送信している。
【００８２】
始端伝送部４０からループ伝送路１２に送信された電圧制御信号ＶＯＵＴ１は、スイッチ回路部６２−１，６２−２が全てオンしている短絡切離し装置１８−１〜１８−４を経由してループ伝送路１２の終端に伝送され、ループ伝送路１２の終端電圧ＶＳ１は２４Ｖ〜３３Ｖの範囲で変化する。
【００８３】
終端電圧監視部５２は終端伝送部４８から出力された電圧制御信号ＶＯＵＴ２の固定電圧２４Ｖとループ伝送路１２の終端端子Ｌ２，ＬＣ２間に加わる２４Ｖ〜３３Ｖの終端電圧ＶＳ２を比較しており、（ＶＯＵＴ２）≦（ＶＳ２）の関係が保たれることで、終端スイッチ５０のオフ状態を維持している。
【００８４】
ここで、伝送制御部３６は、図５（Ａ）に示すように、所定の伝送周期Ｔ毎に、端末制御信号Ｅ１として、ブロードキャストの一括ＡＤ変換信号に続いて１〜１６の数字で示す端末アドレスＡ１〜Ａ１６を順次指定した呼出信号を送信しており、火災感知器１２は自己アドレスとの一致を判別すると、ＡＤ変換で保持した煙濃度等のセンサデータを電流応答信号ＩＩＮ１として送信し、始端伝送部４０で受信された電流応答信号ＩＩＮ１は０〜５Ｖの端末応答信号Ｅ２に変換されてサブＣＰＵ２４に出力されている。
【００８５】
（断線発生）
図６はループ伝送路に断線が発生した場合の伝送部の動作状態を示したブロック図である。図６に示すように、例えば、火災感知器１６−５と火災感知器１６−６との間で断線９０が発生したとする。断線９０が発生すると、断線９０の発生箇所から見た終端側のループ伝送路１２に対する始端側からの電圧制御信号ＶＯＵＴ１は伝送されなくなり、ループ伝送路１２の終端電圧ＶＳ２が０Ｖに低下して電圧が得られなくなる。
【００８６】
このため終端電圧監視部５２は断線９０の発生で終端電圧ＶＳ２が０Ｖとなったことで、（ＶＯＵＴ２）＞（ＶＳ２）の入力関係となり、図３に示した比較器７０の出力がそれまでのＬレベルからＨレベルとなり、終端スイッチ５０をオンし、終端伝送部４８の出力をループ伝送路１２の終端側に接続する。
【００８７】
また、終端電圧監視部５２からサブＣＰＵ２４に対し断線検出信号Ｅ７が出力され、伝送制御部３６はループ伝送路１２の断線を検出し、断線時伝送制御開始する。また、伝送制御部３６は、図１に示したメインＣＰＵ２０に断線検出を通知し、メインＣＰＵ２０の火報制御部３８がディスプレイ２７、表示部２８、音響警報部３２に指示して断線障害を警報する。
【００８８】
（断線時伝送制御）
図７はループ伝送路に断線が発生した場合の伝送制御による各部の信号波形を示したタイムチャートであり、図７（Ａ）〜（Ｋ）は図５（Ａ）〜（Ｋ）に対応している。
【００８９】
伝送制御部３６はループ伝送路１２の断線を検出すると、伝送周期Ｔ毎に、ループ伝送路１２の始端から信号の送受信を行う始端伝送制御と、断線検出によりオンした終端スイッチ５０を介してループ伝送路１２の終端から信号の送受信を行う終端伝送制御とを交互に切替えて火災を監視する断線時伝送制御を行う。
【００９０】
即ち、図７の時刻ｔ１〜ｔ２の伝送周期Ｔは始端伝送制御であり、次の時刻ｔ２〜ｔ３の伝送周期Ｔは終端伝送制御となり、始端伝送制御と終端伝送制御を伝送周期Ｔ毎に交互に繰り返す。
【００９１】
（始端伝送制御）
図７の時刻ｔ１〜ｔ２の始端伝送制御は、図５に示した正常時の始端伝送制御と同じになる。しかしながら、始端伝送制御により始端伝送部４０からループ伝送路１２の始端に送信された電圧制御信号ＶＯＵＴ１は、スイッチ回路部６２−１，６２−２が全てオンしている短絡切離し装置１８−１，１８−２を経由してループ伝送路１２の終端側に伝送されるが、断線９０の発生場所から先には伝送されず、ループ伝送路１２の始端から断線９０の間に接続している火災感知器１６−１〜１６−５が電流応答信号ＩＩＮ１を送信し、これが始端伝送回路４０で受信され、端末応答信号Ｅ２に変換されてサブＣＰＵ２４に出力される。
【００９２】
また、始端伝送制御が行われている場合、終端電圧監視部５２に入力する電圧制御信号ＶＯＵＴ２は固定電圧２４Ｖであり、終端電圧ＶＳ２は電圧制御信号ＶＯＵＴ２からダイオードによる電圧降下分低下した固定電圧２４Ｖより低い電圧であり、（ＶＯＵＴ２）＞（ＶＳ２）の条件が成立していることから、終端スイッチ５０のオンが維持される。
【００９３】
（終端伝送制御）
図７の時刻ｔ２〜ｔ３の終端伝送制御では、始端スイッチ４２及び終端スイッチ５０は共にオンとなっている。ループ伝送路１２の断線を検出した伝送制御部３６は、図７（Ｂ）に示すように、始端伝送部４０に対する電圧固定信号Ｅ３をＨレベルとし、図７（Ｃ）に示すように、始端伝送部４０から出力される電圧制御信号ＶＯＵＴ１を２４Ｖに固定している。
【００９４】
これ対し伝送制御部３６は、図７（Ｇ）に示すように、終端伝送部４８に対する電圧固定信号Ｅ６をＬレベルとしており、このため終端伝送部４８はサブＣＰＵ２４から入力した端末制御信号Ｅ１を２４Ｖ〜３３Ｖの範囲で変化する電圧制御信号ＶＯＵＴ２に変換し、終端スイッチ５０を介してループ伝送路１２の終端側に送信している。
【００９５】
終端伝送部４８からループ伝送路１２に送信された電圧制御信号ＶＯＵＴ２は、スイッチ回路部６２−１，６２−２が全てオンしている短絡切離し装置１８−４，１８−３を経由してループ伝送路１２の始端側に伝送されるが、断線９０の発生場所から先には伝送されず、ループ伝送路１２の終端から断線９０の間に接続している火災感知器１６−６〜１６−１０が電流応答信号ＩＩＮ２を送信し、これが終端伝送回路４８で受信され、端末応答信号Ｅ５に変換されてサブＣＰＵ２４に出力される。
【００９６】
また、終端伝送制御が行われている場合、終端電圧監視部５２に入力する電圧制御信号ＶＯＵＴ２は２４Ｖ〜３３Ｖであり、終端電圧ＶＳ２はダイオードによる電圧降下分低下した２４Ｖ〜３３Ｖより低い電圧であり、（ＶＯＵＴ２）＞（ＶＳ２）の条件が成立していることから、終端スイッチ５０のオンが維持される。
【００９７】
ただし、電圧制御信号ＶＯＵＴ２は電圧変動を伴うため、電圧変動により比較器５２に於いて（ＶＯＵＴ２）≦（ＶＳ２）の条件が一時的に成立する可能性がある。このため、終端伝送制御が行われているときは比較器５２による断線復旧の判定を行わないようにしても良い。
【００９８】
また、終端伝送制御が行われている場合、始端電圧監視部４４に入力する電圧制御信号ＶＯＵＴ１は２４Ｖであり、始端電圧ＶＳ１はダイオードによる電圧降下分低下した２４Ｖより低い電圧であり、（ＶＯＵＴ１）＞（ＶＳ１）の条件が成立していることから、終端スイッチ５０のオンが維持される。
【００９９】
このように、伝送制御の他端側は固定値であるから断線復旧時のみ比較器５２に於いて電圧制御信号（ＶＯＵＴ）≦伝送路端電圧（ＶＳ）の条件が成立するため、伝送制御の他端側で断線復旧を監視することが好適である。
【０１００】
（断線位置の検出）
ループ伝送路１２の断線を検出した伝送制御部３６は、断線時伝送制御で伝送周期毎に交互に行う始端伝送制御と終端伝送制御で受信された端末応答信号に基づき、断線位置を検出して報知させる制御を行う。
【０１０１】
図６に示すように、ループ伝送路１２に断線９０が発生した場合、伝送制御部３６は始端伝送制御により始端伝送部４０からループ伝送路１２に送信された端末アドレスを順次指定した呼出信号に対し、火災感知器１６−１〜１６−５及び短絡切離し装置１８−１，１８−２から端末応答信号が受信されることから、これらのアドレスＡ１〜Ａ７を始端側端末グループとして検出する。
【０１０２】
また、伝送制御部３６は終端伝送制御により終端伝送部４８からループ伝送路１２に送信された端末アドレスを順次指定した呼出信号に対し、火災感知器１６−６〜１６−１０及び短絡切離し装置１８−３，１８−４から端末応答信号が受信されることから、これらのアドレスＡ８〜Ａ１６を終端側端末グループとして検出する。
【０１０３】
続いて、端末制御部３６は、検出された始端側端末グループの中の最終アドレスＡ７の火災感知器１６−５と終端側端末グループの中の先頭アドレスＡ８の火災感知器１６−６の間をループ伝送路１２の断線９０の発生位置として検出し、メインＣＰＵ２０に通知してディスプレイ２７に、断線位置を示したループ伝送路ノードマップを表示して報知させる。
【０１０４】
（断線復旧制御）
伝送制御部３６は、断線時伝送制御における始端伝送制御中に、ループ伝送路の終端電圧ＶＳ２が正常に検出された場合、もしくは終端伝送制御中に、ループ伝送路１２の始端電圧ＶＳ１が正常に検出された場合は、終端スイッチ５０のオフにより断線時伝送制御を解除して正常時伝送制御に切り替える断線復旧制御を行う。
【０１０５】
図６に示したループ伝送路１２の断線９０に対し修復作業が行われて断線９０が解消された場合、始端伝送制御により始端伝送部４０からループ伝送路１２に送信された電圧制御信号ＶＯＵＴ１は、断線９０が修復されたことでループ伝送路１２の終端まで伝送され、終端電圧ＶＳ２は断線中の電圧制御信号ＶＯＵＴ２による固定電圧２４Ｖから電圧制御信号ＶＯＴＵ１による電圧２４Ｖ〜３３Ｖに変化する。
【０１０６】
このため終端電圧監視部５２に入力する電圧は、（ＶＯＵＴ２）≦（ＶＳ２）の関係となり、図３に示した比較器７０の出力がそれまでのＨレベルからＬレベルに変化し、終端スイッチ５０をオフする。
【０１０７】
また、終端電圧監視部５２からサブＣＰＵ２４に出力される断線検出信号Ｅ７もそれまでのＨレベルからＬレベルに変化し、伝送制御部３６は断線復旧を検出し、それまでの断線時伝送制御を解除して正常時伝送制御、即ち、始端伝送制御に切り替える断線復旧制御を行い、自動的に正常時伝送制御に戻る。また、伝送制御部３６はメインＣＰＵ２０に断線復旧を通知することで、受信機１０の断線障害警報が自動的にリセットされる。
【０１０８】
断線は短絡切離し装置によるスイッチ回路部６２−１，６２−２のオフ制御でも生じるが、短絡復旧に伴い断線が復旧した場合においても上記の自動的な断線復旧が可能となる。
【０１０９】
［伝送制御動作］
図８はループ伝送路に対する伝送制御を示したフローチャートであり、図２に示した伝送制御部３６による制御動作となる。
【０１１０】
図８に示すように、伝送制御部３６はループ伝送路１２に断線のない通常時にはステップＳ１で正常時伝送モードを設定する。正常時伝送モードは始端スイッチ４２をオンし、終端スイッチ５０をオフし、終端伝送部４８に電圧固定信号Ｅ６を出力するモードである。
【０１１１】
続いて、伝送制御部３６はステップＳ２で正常時伝送制御として始端伝送制御を行い、ループ伝送路１２の始端側から電圧制御信号を送信して端末からの応答信号を受信する制御を行う。
【０１１２】
伝送制御部３６は正常時伝送中にステップＳ３でループ伝送路１２の断線を検出するとステップＳ４に進み、断線時伝送モードを設定する。断線時伝送モードは、始端スイッチ４２と終端スイッチ５０がオンした状態で、伝送周期毎に、終端伝送部４８に電圧固定信号Ｅ６を出力するモードと、始端伝送部４０に電圧固定信号Ｅ３を出力するモードを交互に切り替えるモードである。
【０１１３】
伝送制御部３６は断線時伝送モードを設定した後に、まずステップＳ５でループ伝送路１２の始端側から電圧制御信号を送信して電流応答信号を受信する始端伝送制御を行い、始端制御中にステップＳ６で断線復旧の検出がなければステップＳ７で伝送周期の経過を判別するまで、ステップＳ５の始端伝送制御を継続する。
【０１１４】
伝送制御部３６はステップＳ７で伝送周期の経過を判別するとステップＳ８に進み、ループ伝送路１２の終端側から電圧制御信号を送信して電流応答信号を受信する終端伝送制御を行い、ステップＳ９で伝送周期の経過を判別し、ステップＳ１０に進み、断線位置を検出する。
【０１１５】
ステップＳ１０の断線位置の検出は、ステップＳ５の始端伝送制御で応答のあった始端側端末グループとステップＳ８の終端伝送制御で応答にあった終端側端末グループを検出し、両者の間を断線位置として検出して報知させる。
【０１１６】
伝送制御部３６は、ステップＳ４〜Ｓ１０の断線時伝送制御中におけるステップＳ５の始端伝送制御中にステップＳ６で断線復旧を検出すると、ステップＳ１に戻って正常時伝送モードを設定してステップＳ２の正常時伝送制御に入ることで、自動的に断線復旧が行われる。
【０１１７】
［受信機と中継盤で構成された分散システムの実施形態］
図９は受信機に通信ネットワークを介して中継盤を接続した分散型の火災報知設備の概要を示した説明図である。
【０１１８】
監視対象とする施設が複数に分かれる等して大規模になる場合には、図９に示すように、防災センター等に設置した受信機１０に加え、例えば建物毎に分けて中継盤９４が設置され、受信機１０と中継盤９４の間がイーサネット（登録商標）等のネットワーク回線９６により通信接続されている。
【０１１９】
受信機１０は図１に示したと同じであり、これに対し中継盤９５は図１の受信機１０からディスプレイ２７、表示部２８、操作部３０及び音響警報部３２を含む操作表示機能を除いた構成となり、それ以外は、受信機１０と基本的に同じとなる。
【０１２０】
中継盤９４にはループ伝送路１２が接続され、ループ伝送路１２には伝送機能を有する固有アドレスが設定された火災感知器１６と短絡切離し装置１８等の端末が接続されている。
【０１２１】
中継盤９４には図２の受信機１０と同様に伝送部が設けられる。中継盤９４の伝送部は、ループ伝送路１２の終端電圧が正常に検出される場合は、ループ伝送路の始端からの信号の送受信により火災を監視する正常時伝送制御を行う。
【０１２２】
また、中継盤９４の伝送部は、ループ伝送路１２の終端電圧が断たれた場合に断線を検出して終端スイッチをオンし、所定の伝送周期毎に、ループ伝送路１２の始端から信号の送受信を行う始端伝送制御と、終端スイッチを介してループ伝送路の終端から信号の送受信を行う終端伝送制御とを交互に切替えて火災を監視する断線時伝送制御を行う。
【０１２３】
また、中継盤９４の伝送部は、断線時伝送制御における始端伝送制御中に、ループ伝送路１２の終端電圧が正常に検出された場合は、終端スイッチのオフにより断線時伝送制御を解除して正常時伝送制御に切り替える断線復旧制御を行う。
【０１２４】
更に、中継盤９４の伝送部は、ループ伝送路１２の断線を検出した場合に、始端伝送制御により送信された信号に対し応答信号が受信された始端側端末グループを検出すると共に、終端伝送制御により送信された信号に対し応答信号が受信された端末の終端側端末グループを検出し、始端側端末グループと終端側端末グループとの間をループ伝送路１２の断線位置として検出し、受信機１０に通知して報知させる。
【０１２５】
［本発明の変形例］
（復旧）
短絡切り離し装置は受信機からの復旧確認信号を受信したときのみ、検出電圧によるスイッチ回路部６２−１，６２−２のオン制御を行うようにしても良い。
【０１２６】
（断線時の始端伝送制御と終端伝送制御の切替）
上記の実施形態は、断線時に所定の伝送周期毎に始端伝送制御と終端伝送制御の切替を行っているが、始端伝送制御と終端伝送制御の切替は異なる伝送周期としても良い。火災が発生していないときは始端伝送制御と終端伝送制御は同じ伝送周期とすることが好適であるが、ループ伝送路１２の始端側もしくは終端側のいずれかで火災もしくは火災予兆を感知器もしくは発信機等の火災検出機器が検知したときは通信頻度を高めることが望ましいため、始端伝送制御と終端伝送制御のうち火災検出が行われた側の伝送制御を行う周期が多くなるようにしても良い。
【０１２７】
（基準電圧に余裕を持たせる）
上記の実施形態は、正常時または断線時の始端側からの伝送時に電圧制御信号ＶＯＵＴ２は電圧範囲の下限となるＤＣ２４Ｖとしたが、これより小さい電圧としても良い。ループ伝送路１２による電圧降下分を勘案し所定の電圧の余裕を持たせた小さい電圧、例えば２０Ｖとしても良い。同様に、断線時の終端側からの伝送時に電圧制御信号ＶＯＵＴ１もループ伝送路１２による電圧降下分を勘案し所定の電圧の余裕を持たせた小さい電圧、例えば２０Ｖとしても良い。
【０１２８】
上記の実施形態は、Ｒ型の受信機からのループ伝送路を介してＲ型の火災感知器を接続した火災報知設備を例にとっているが、Ｐ型の受信機から引き出したループ型の感知器回線にアドレスを設定すると共に伝送機能を備えたアドレッサブル火災感知器を接続した火災報知設備についても同様に適用できる。
【０１２９】
また、本発明はその目的と利点を損なうことのない適宜の変形を含み、更に上記の実施形態に示した数値による限定は受けない。
【符号の説明】
【０１３０】
１０：受信機
１２：ループ伝送路
１４ａ，１４ｂ：信号線
１６，１６−１〜１６−１０：火災感知器
１８，１８−１〜１８−４：短絡切離し装置
２０：メインＣＰＵ
２２−１，２２−２：サブＣＰＵ基板
２４：サブＣＰＵ
２６，５６：伝送部
２７：ディスプレイ
２８：表示部
３０：操作部
３２：音響警報部
３４：移報部
３６：伝送制御部
３８：火報制御部
４０：始端伝送部
４２：始端スイッチ
４４：始端電圧監視部
４６，５４，６４−１，６４−２，６６−１，６６−２：ダイオード
４８：終端伝送部
５０：終端スイッチ
５２：終端電圧監視部
５８：制御部
６０：電圧検出部
６２−１，６２−２：スイッチ回路部
７０：比較器
【図１】
2020119347.tif 000003
【図２】
2020119347.tif 000004
【図３】
2020119347.tif 000005
【図４】
2020119347.tif 000006
【図５】
2020119347.tif 000007
【図６】
2020119347.tif 000008
【図７】
2020119347.tif 000009
【図８】
2020119347.tif 000010
【図９】
2020119347.tif 000011
【図１０】
2020119347.tif 000012